(57)【特許請求の範囲】
【請求項１】
リール本体の前方にスプールをカバーするフロントカバーを備え、釣糸の放出状態を制御すると共にリール本体の前方に向けて延出する操作レバーをリール本体の脚部基部に支持したクローズドフェースリールにおいて、
前記操作レバーは、少なくともその操作部と支持部との間の中間部が、前記フロントカバーの上端部よりも下方に位置するように前記フロントカバーの側部外方に湾曲形成されていることを特徴とするクローズドフェースリール。
【発明の詳細な説明】
【０００１】
【発明の属する技術分野】
本発明は、魚釣用リールに関し、詳細には、リール本体の前方に配置されたスプールの外側をカバーするフロントカバーを有し、リール本体の脚部基部に釣糸の放出操作を制御可能とする操作レバーを装着したクローズドフェースリールに関する。
【０００２】
【従来の技術】
上記したタイプの魚釣用リールは、例えば、実開昭５７−１７３５７３号や実開昭６０−７２１６８号に開示されているように、リール本体の脚部の基部に装着した操作レバーを上方に引き上げ操作して釣糸巻取り状態から釣糸放出状態に切換えて釣糸を一時的に挟着係止し、釣竿を振り下ろす操作と同時に操作レバーから手の指を離すことで仕掛けの放出操作を行なうようになっている。
【０００３】
【発明が解決しようとする課題】
しかし、従来の構成では、仕掛け放出時に操作する操作レバーが、リール本体の脚部に形成された釣竿装着部とフロントカバーとの間で、前方（竿先側）に向けて延出するように設けられているため、操作レバーの上方移動量も含めて、両者の間には大きなスペースが必要とされる。
【０００４】
このため、リール本体の釣竿装着部と巻取り駆動機構に連結されるハンドル軸との距離が長くなってしまい、巻取り操作時に余計なモーメントがかかり易くなって安定した状態で容易に巻取り操作ができなかったり、放出操作がし難い等の問題がある。また、リール本体の脚部が長くなるので、落下や外力を受けたときに、脚部に傷が付いたり、折れ易い等の問題がある。
【０００５】
この発明は、上記した問題点に着目してなされたものであり、リール本体の脚部基部に操作レバーを支持したクローズドフェースリールにおいて、リール本体の釣竿装着部とハンドル軸との間の距離を短くして、巻取り操作及び放出操作が行ない易いクローズドフェースリールを提供することを目的とする。
【０００６】
【課題を解決するための手段】
上記した課題を解決するために、本発明に係るクローズドフェースリールは、リール本体の前方にスプールをカバーするフロントカバーを備え、釣糸の放出状態を制御すると共にリール本体の前方に向けて延出する操作レバーをリール本体の脚部基部に支持した構成において、前記操作レバーは、少なくともその操作部と支持部との間の中間部が、前記フロントカバーの上端部よりも下方に位置するように前記フロントカバーの側部外方に湾曲形成されていることを特徴としている。
【０００７】
上記のように、リール本体の脚部基部に支持される操作レバーに関し、少なくともその操作部と支持部との間の中間部を、フロントカバーの上端部よりも下方に位置するように構成したことで、操作部の回動範囲をリール本体側にシフトさせてリール脚の上下方向の長さを短くすることが可能となる。これにより、リール脚の先端に形成された釣竿装着部とハンドル軸との距離が短くなり、巻取り操作及び放出操作が行ない易くなる。
【０００８】
【発明の実施の形態】
以下、本発明の一実施の形態について、図１〜図３を参照しながら具体的に説明する。なお、これらの図において、図１は、クローズドフェースリールの内部構成を示す図、図２（ａ）は、クローズドフェースリールの側面図、図２（ｂ）は、図２（ａ）のＡ−Ａ線に沿った断面図、図３は、クローズドフェースリールの平面図である。
【０００９】
クローズドフェースリール１のリール本体２には、上下方向に延出し、先端に前後方向に延出する釣竿装着部２ｂを具備した脚部２ａが一体的に形成されている。また、リール本体２内には、前方に向けて突出する筒軸３が設けられており、その外周には、釣糸を巻回保持するスプール５が支持されている。
【００１０】
前記筒軸３内には、軸方向に摺動可能な回転軸７が挿通されており、その基端側のリール本体内には、ピニオンギヤ８が一体的に取り付けられている。また、前記リール本体２内には、回転操作されるハンドル９が装着されたハンドル軸９ａが回転軸７に対して直交する方向に支持されており、そこには、前記ピニオンギヤ８と噛合するフェースギヤ１０が取り付けられている。また、前記回転軸７の先端には、スプール側に開口する蓋状の回転体１２がナット１３によって取り付けられており、ハンドル９を回転操作することで、前記フェースギヤ１０及びピニオンギヤ８を介して、その外周面１２ａがスプール５の周りを回転するようになっている。
【００１１】
前記リール本体２の前方側には、環状の雄ネジ部２ｃが形成されており、前記スプール５及び回転体１２を覆うフロントカバー１５が着脱自在に装着されるようになっている。このフロントカバー１５の前面中央には、開口１５ａが形成されており、スプール５に巻回された釣糸は、回転体１２の外周面１２ａとフロントカバー１５の内面との間の隙間を通って開口１５ａから導出される。
【００１２】
前記回転軸７は、後述する操作レバー２０の回動操作によって、軸方向に移動されるようになっており、これに伴って回転体１２も軸方向に移動されるようになっている。すなわち、回転軸７の後端部には、押圧部７ａが形成されており、ここに操作レバー２０の作動部２１が当接することで、回転軸７は、前方側（図中、右方向）に移動されるようになっている。なお、回転軸７の後端には、付勢バネ７ｂが配設されており、回転軸７は、常時、後方側に向けて付勢された状態（図１に示す状態が初期位置）となっている。
【００１３】
前記回転体１２には、釣糸を案内するためのピン１２ｂが、外周面１２ａから出没可能に設けられており、通常、付勢バネ１２ｃによって、下向きに付勢された状態（突出しない状態）となっている。前記ピン１２ｂの下端部には、係合部が形成されており、この係合部は、回転体１２が回転軸７と共に初期位置にあるとき、前記筒軸３の前端面に形成されたカムに係合するようになっている。
【００１４】
すなわち、回転軸７が、操作レバー２０の回動操作によって、図中、右側に移動されると、ピン１２ｂの下端部に形成された係合部とカムの係合が外れ、回転体１２の外周面１２ａから突出した状態にあるピン１２ｂは、付勢バネ１２ｃの付勢力によって、回転体の内部に沈み込む。また、回転軸７が、図１に示す初期位置に戻されると、ピン１２ｂの下端部に形成された係合部とカムが係合状態となり、回転軸７によって回転体１２が回転駆動されると、そのカム作用によってピン１２ｂは、付勢バネ１２ｃの付勢力に抗して回転体１２の外周面１２ａから突出する。
【００１５】
前記回転体１２の前面部には、当接リング１２ｄが設けられており、回転軸７が、操作レバー２０の回動操作によって、図中、右側に移動されると、フロントカバー１５の内面に当接して釣糸を挟持可能な状態にする。
【００１６】
上記した操作レバー２０は、図２（ａ），（ｂ）に示すように、リール本体２に形成された脚部２ａの基部において、リール本体２と側面カバー２ｄとの間の空間に保持された固定支軸２３に対し、リール本体２の外部から固定ネジ２５を螺入することで回動可能に枢支されている。この固定支軸２３の外周には、操作レバー２０と一体化されると共に、前記作動部２１が形成された支持部２６が保持されている。この場合、支持部２６には、リール本体２との間で付勢バネ２８が保持されており、操作レバー２０及び作動部２１を、図１の時計回り方向に常時付勢している。
【００１７】
前記操作レバー２０は、固定ネジ２５による支持部から、前方に向けて延出しており、その先端部分に指によって操作される操作部２０ａが形成されている。この場合、本実施形態の操作レバー２０は、図２（ａ）に示すように、初期位置において、その支持部を含め、側面視で全体がフロントカバー１５の上端部Ｐよりも下方に位置するように構成されている。
【００１８】
そして、このような操作レバー全体が上端部Ｐより下方に位置する構成では、その中間部分は、フロントカバー１５の外周部分と干渉するため、図３に示すように、釣竿装着部２ｂの中心線Ｘに対して、フロントカバーの側部外方にシフトするように湾曲形成されている。また、この場合、先端側の操作部２０ａは、その操作性を考慮すると、釣竿装着部２ｂの中心線Ｘと略一致する状態となるのが好ましいことから、フロントカバー１５の先端領域では、フロントカバー１５の中心側にシフトするように湾曲形成されている。
【００１９】
上記した構成のクローズドフェースリールによれば、以下のような作用効果が得られる。
【００２０】
図１及び図２（ａ）に示す状態から、操作レバー２０の操作部２０ａを上方に回動操作すると、作動部２１が付勢バネ２８の付勢力に抗して反時計回り方向に回動され、回転軸７を付勢バネ７ｂの付勢力に抗して右側に移動させる。このとき、ピン１２ｂの下端部に形成された係合部とカムの係合が外れ、回転体１２の外周面１２ａから突出した状態にあるピン１２ｂは、付勢バネ１２ｃの付勢力によって、回転体の内部に沈み込むと共に、釣糸は、当接リング１２ｄとフロントカバー１５の内面との間で挟持される。
【００２１】
この状態で、釣竿をキャスティングしながら操作レバー２０から指を離すと、釣糸の挟持状態が解消されて、仕掛けが放出される。このとき、回転軸７及び操作レバー２０は、各付勢バネ７ｂ、２８の付勢力によって、図１に示す初期状態に戻されており、ハンドル９を巻取り操作すると、ピン１２ｂは、カム作用によって、付勢バネ１２ｃの付勢力に抗して回転体１２の外周面から突出し、釣糸をピックアップする。そして、更にハンドル９を巻取り操作することで、釣糸は、回転体１２のピン１２ｂに案内されながら、スプール５に巻回されて行く。
【００２２】
上記した操作レバー２０は、支持部を含め、その全体をフロントカバー１５の上端部Ｐよりも下方に位置するように構成しているため、釣竿装着部２ｂとハンドル軸９ａとの間の距離を短くすることが可能となり、巻取り操作時に生じるモーメントを少なくして、安定した状態で容易に巻取り操作が行なえると共に、放出操作も行ない易くなる。すなわち、釣竿とフロントカバーとの間は、指が入るだけのスペースがあれば良いので、釣竿とハンドル軸とが近づけられ、快適に巻いたり放出操作ができるようになる。
【００２３】
また、リール本体の脚部２ａを短くすることが可能となり、落下や外力を受けたときに、脚部の傷が付き、折れ等を防止することが可能となる。
【００２４】
図４は、上記した操作レバーの変形例を示す図である。上記した構成では、操作レバーは、リール本体２の一方の側面側に支持されていたが、この変形例の操作レバー４０は、リール本体２の両側面において、同一の固定支軸に支持された複数の腕部４１で構成すると共に、その先端側を、互いに近接するように湾曲させて１つの操作部４１ａを有するように構成している。このような構成によれば、上記した作用効果が得られることに加え、操作レバー４０の回動状態の安定化が図れるようになる。
【００２５】
以上、本発明の実施形態について説明したが、上述した操作レバーの構成については種々変形することが可能である。上述した実施形態のように、操作レバー２０は、その全体が、フロントカバー１５の上端部Ｐより下方に位置するように形成するのが好ましいが、例えば、少なくとも先端の操作部と支持部との間の中間部分の一部が、フロントカバー１５の上端部Ｐより下方に位置するように形成しても、従来の構成と比べてリール本体の脚部を短くすることが可能である。この場合、操作レバーの支持部は、脚部の基部にあれば良く、その位置は、フロントカバー１５の上端部Ｐより上方にあっても良い。
【００２６】
【発明の効果】
本発明によれば、リール本体の脚部基部に操作レバーを支持したクローズドフェースリールにおいて、リール本体の釣竿装着部とハンドル軸との間の距離を短くすることが可能となり、巻取り操作、及び放出操作が行ない易くなる。
【図面の簡単な説明】
【図１】クローズドフェースリールの内部構成を示す図。
【図２】（ａ）は、図１に示すクローズドフェースリールの側面図、（ｂ）は、図（ａ）のＡ−Ａ線に沿った断面図。
【図３】図１に示すクローズドフェースリールの平面図。
【図４】本発明の変形例を示すクローズドフェースリールの平面図。
【符号の説明】
２  リール本体
２ａ  脚部
２ｂ  釣竿装着部
５  スプール
１５  フロントカバー
２０，４０  操作レバー
【図１】
0003874651.tif 000002
【図２】
0003874651.tif 000003
【図３】
0003874651.tif 000004
【図４】
0003874651.tif 000005